(57)【要約】【課題】  情報配信を効率よく行なえる情報配信システムを提供する。【解決手段】  情報配信システムは、情報配信サーバ１と固定電話機４とを有し、情報配信サーバは通信回線を介して所定の情報を送信する情報送信手段２と、固定電話機から通信回線を介して送信された所定の要求情報を受信すると共に、所定の要求情報に応答する要求情報応答手段３とを備えており、固定電話機は情報送信手段から送信された所定の情報を通信回線を介して受信する情報受信手段５と、受信した所定の情報を表示する表示手段６と、情報配信サーバに対して所定の要求情報を送信する要求情報送信手段７とを備えており、情報配信サーバと固定電話機は通信回線８を介して通信可能となっている。【選択図】  図１
2006217515.tif 000002
【特許請求の範囲】
【請求項１】
情報配信サーバと、通信回線に有線で接続された固定電話機を有する情報配信システムであって、
前記情報配信サーバは、通信回線を介して所定の情報を送信する情報送信手段を備え、
前記固定電話機は、前記情報送信手段から送信された所定の情報を通信回線を介して受信する情報受信手段と、該情報受信手段によって受信した所定の情報を表示する表示手段とを備える
情報配信システム。
【請求項２】
前記固定電話機は、前記情報配信サーバに対して所定の要求情報を送信する要求情報送信手段を備え、
前記情報配信サーバは、前記要求情報送信手段から送信される所定の要求情報を受信すると共に、要求情報に応答する要求情報応答手段を備える
請求項１に記載の情報配信システム。
【請求項３】
前記所定の情報は動画情報である
請求項１または請求項２に記載の情報配信システム。
【請求項４】
前記所定の情報は広告情報である
請求項１〜３のいずれか１つに記載の情報配信システム。
【請求項５】
通信回線に有線で接続された固定電話機に対して前記通信回線を介して所定の情報を送信する情報配信サーバを有する情報配信システムであって、
前記情報配信サーバは、前記固定電話機が受信し、同固定電話機が有する表示手段に表示される所定の情報を送信する情報送信手段を備える
情報配信システム。
【請求項６】
前記情報配信サーバは、前記固定電話機から通信回線を介して送信された所定の要求情報を受信すると共に、所定の要求情報に応答する要求情報応答手段を備える
請求項５に記載の情報配信システム。
【請求項７】
前記所定の情報は動画情報である
請求項５または請求項６に記載の情報配信システム。
【請求項８】
前記所定の情報は広告情報である
請求項５〜７のいずれか１つに記載の情報配信システム。
【請求項９】
情報配信サーバから通信回線を介して所定の情報を受信する前記通信回線に有線で接続された固定電話機を有する情報配信システムであって、
前記固定電話機は、前記情報配信サーバが送信する所定の情報を前記通信回線を介して受信する情報受信手段と、
該情報受信手段によって受信した所定の情報を表示する表示手段とを備える
情報配信システム。
【請求項１０】
前記固定電話機は、所定の要求情報を受信すると共に所定の要求情報に応答する前記情報配信サーバに対して通信回線を介して所定の要求情報を送信する要求情報送信手段を備える
請求項９に記載の情報配信システム。
【請求項１１】
前記所定の情報は動画情報である
請求項９または請求項１０に記載の情報配信システム。
【請求項１２】
前記所定の情報は広告情報である
請求項９〜１１のいずれか１つに記載の情報配信システム。
【発明の詳細な説明】
【技術分野】
【０００１】
本発明は情報配信システムに関する。詳しくは、情報配信サーバから固定電話機に対して所定の情報を送信すると共に、所定の情報を受信した固定電話機の表示手段に所定の情報を表示することによって、情報の配信を効率よく行おうとする情報配信システムに係るものである。
【背景技術】
【０００２】
従来、通信回線に有線で接続された固定電話機（以下、単に「固定電話機」とする。）の表示部に、着信時に発信元番号が表示されて、発信者が誰であるかを着信側が認識できるシステムに関して幾つかの技術が提案されている（例えば、特許文献１参照。）。
【０００３】
図２に、受信電話機の表示部に発信電話機の情報が表示される従来のシステムの概略説明図を示す。情報発信端末１０１は、「○○株式会社」に配設されて電話番号「０３−ＸＸＸＸ−ＹＹＹＹ」を有する加入者回線に接続され、番号を通知する設定がなされているものとする。ここで、情報発信端末１０１が情報受信端末１０２宛に発信すると（時点Ａ）、情報発信端末１０１の電話番号が発側交換機１０３を介して着側交換機１０４に送られる。着側交換機１０４では、情報発信端末１０１の電話番号を発信者名ＤＢ１０５に転送する（時点Ｂ）。発信者名ＤＢ１０５では、転送されてきた電話番号「０３−ＸＸＸＸ−ＹＹＹＹ」をもとに発信者名を検索し、検索結果の発信者名である「○○株式会社」を着側交換機１０４に転送する（時点Ｃ）。そして情報受信端末１０２の着信時に着信情報として、情報発信端末１０１の電話番号「０３−ＸＸＸＸ−ＹＹＹＹ」と発信者名「○○株式会社」とを情報受信端末１０２に通知して、情報受信端末１０２ではその表示部に電話番号「０３−ＸＸＸＸ−ＹＹＹＹ」と発信者名「○○株式会社」が表示される（時点Ｄ）。
【０００４】
【特許文献１】特開２００３−６０７７６号公報
【発明の開示】
【発明が解決しようとする課題】
【０００５】
ところで、従来のシステムでは、発信端末の電話番号や発信者名が、受信端末に通知されてその表示部に表示されるだけであり、また、端末（固定電話機）が使われていない状態すなわち待機状態のときは、固定電話機の表示部には日付や時刻等が表示されているのみであり、更に、通話時も時刻や通話時間等が表示されているに過ぎなかった。
【０００６】
また、固定電話機が待機状態でも時刻等の確認のために固定電話機の表示部に目をやることは一日のうちに何度かあり、各自のデスクに固定電話機が配置されている企業であれば更にその回数も増える。特に通話中、人は目のやり場が特に定まっておらず、身の回りのものを無意識に見ていることが多く、その際に身近にある固定電話機の表示部に有用な情報が表示されれば、その表示された情報を、興味を持って見ることが予想され、固定電話機の表示部に表示させて情報配信を効率よく行なえるシステムが要望されていた。
【０００７】
本発明は、以上の点に鑑みて創案されたものであり、情報配信を効率よく行なえる情報配信システムを提供することを目的とする。
【課題を解決するための手段】
【０００８】
上記の目的を達成するために、本発明の情報配信システムは、情報配信サーバと、通信回線に有線で接続された固定電話機を有する情報配信システムであって、前記情報配信サーバは、通信回線を介して所定の情報を送信する情報送信手段を備え、前記固定電話機は、前記情報送信手段から送信された所定の情報を通信回線を介して受信する情報受信手段と、該情報受信手段によって受信した所定の情報を表示する表示手段とを備える。
【０００９】
ここで、情報配信サーバの情報送信手段によって、所定の情報を随時送ることができ、固定電話機の情報受信手段によって、ユーザは最新の所定の情報を随時入手できる。なお、「所定の情報」とは、文字情報、静止画、動画等によってある物事の内容や事情を知らせるものをいう。
【００１０】
また、上記の目的を達成するために、本発明の情報配信システムは、通信回線に有線で接続された固定電話機に対して前記通信回線を介して所定の情報を送信する情報配信サーバを有する情報配信システムであって、前記情報配信サーバは、前記固定電話機が受信し、同固定電話機が有する表示手段に表示される所定の情報を送信する情報送信手段を備える。
【００１１】
ここで、情報配信サーバの情報送信手段によって、ユーザは最新の所定の情報を随時入手できる。
【００１２】
更に、上記の目的を達成するために、本発明の情報配信システムは、情報配信サーバから通信回線を介して所定の情報を受信する前記通信回線に有線で接続された固定電話機を有する情報配信システムであって、前記固定電話機は、前記情報配信サーバが送信する所定の情報を前記通信回線を介して受信する情報受信手段と、該情報受信手段によって受信した所定の情報を表示する表示手段とを備える。
【００１３】
ここで、固定電話機の情報受信手段によって、ユーザは最新の所定の情報を随時入手できる。
【発明の効果】
【００１４】
本発明に係る情報配信システムは、情報配信を効率よく行なうことができる。
【発明を実施するための最良の形態】
【００１５】
以下、本発明の実施の形態について図面を参照しながら説明し、本発明の理解に供する。図１は、本発明を適用した情報配信システムの構成と所定の情報の表示態様の一例を示す概略説明図である。本発明を適用した情報配信システムは、情報配信サーバ１と固定電話機４とを有し、情報配信サーバは情報送信手段２と要求情報応答手段３とを備えており、固定電話機は情報受信手段５と表示手段６と要求情報送信手段７とを備えており、情報配信サーバと固定電話機は通信回線８を介して通信可能となっている。また、固定電話機は通信回線に有線（図示せず。）で接続されている。
【００１６】
また、固定電話機の表示手段（表示部）は、二画面に分かれており、左画面にはデジタルカメラに関する広告情報９が表示されており、右画面には広告情報として表示されたデジタルカメラについて、文字による説明を受けることができる「文字説明」コマンド、受話器を介してまたは受話器を置いたまま音声による説明を聞くことができる「音声説明」コマンド、購入の申し込みを行なう「購入」コマンド、及び他の商品の情報等を表示してもらうよう情報配信サーバに要求できる「他の情報」コマンドを有する操作画面１０が表示されている。これらコマンドは、固定電話機のボタンを操作することによりコマンド横のカーソルを移動させ、所望のコマンド位置で固定電話機の決定ボタン（図示せず。）を押すことにより選択される。
【００１７】
ここで、情報送信手段は、通信回線を介して所定の情報を送信するよう構成されている。また、要求情報応答手段は、固定電話機から通信回線を介して送信された所定の要求情報を受信すると共に、所定の要求情報に応答するよう構成されている。更に、情報受信手段は、情報送信手段から送信された所定の情報を通信回線を介して受信するよう構成されている。また、表示手段は、情報受信手段によって受信した所定の情報を表示するよう構成されている。また、要求情報送信手段は、情報配信サーバに対して所定の要求情報を送信するよう構成されている。
【００１８】
要求情報送信手段は、具体的には例えば、図１において「購入」コマンドを選択して購入要求情報を情報配信サーバへ送信する手段であり、要求情報応答手段は、具体的には例えば、固定電話機から送信された購入要求情報に対して購入に必要な事項を固定電話機の表示部に表示させて必要事項を入力させる手段である。
【００１９】
また、本発明を適用した情報配信システムは、情報配信サーバと固定電話機との間で所定の情報の送受信が行なわれると共に、固定電話機の表示手段に情報配信サーバから受信した所定の情報が表示されるのであれば、要求情報送信手段及び要求情報応答手段は設けなくてもよい。
【００２０】
更に、固定電話機は、情報配信サーバから送信される所定の情報を受信し、受信した情報を表示できれば、ファクシミリ機能が付いていてもよく、この場合、表示された所定の情報を紙等に出力できる。
【００２１】
また、固定電話機の表示手段は、情報配信サーバから受信した所定の情報を表示できれば、二画面で表示されていなくてもよく、例えば動画の広告情報が一画面に字幕付きで表示され、受話器を介してまたは受話器を置いたまま広告の内容を音声で聞けるようにしてもよい。この場合、例えば商品購入を希望するユーザは、音声または字幕で説明される商品購入方法に従い固定電話機のボタンを操作するなどして購入要求情報を情報配信サーバに送信する。
【００２２】
また、図１ではデジタルカメラの広告情報が情報配信サーバから固定電話機へ送信されて、固定電話機の表示手段によって表示されている例を説明しているが、情報配信サーバから送信されて固定電話機の表示手段によって表示されるものは、所定の情報であればどのようなものでもよく、例えば、電話機メーカーや小売事業者の新商品情報、キャンペーンの案内、電話機の定期点検のお知らせ等でもよい。
【００２３】
なお、情報配信サーバから携帯電話機に所定の情報を送信して所定の情報を携帯電話機の表示部に表示させることも考えられるが、携帯電話機の構造上、ユーザは通話中に携帯電話機の表示部を見ることが困難であり、また、待機状態においても、カバンや服のポケットなどに携帯電話機をしまっているため、携帯電話機の表示部に目をやる機会は、固定電話機のそれよりも少なく、情報配信の効率が悪い。一方、本発明を適用した情報配信システムは、情報配信サーバから固定電話機に所定の情報を送信して固定電話機の表示部に表示させるので、特に通話中においても所定の情報が表示された表示部をユーザは見ることができ、情報配信の効率はよいといえる。
【００２４】
また、固定電話機に所定の情報が表示されるので、電話による問い合わせ等即座に入手した情報に対するアプローチが行なえる。
【００２５】
また、インターネットを介してＰＣ（パーソナルコンピュータ）による情報収集が盛んに行なわれているが、本発明を適用した情報配信システムは固定電話機に情報を配信するため、ＰＣよりも簡単な操作で情報を収集できる。
【図面の簡単な説明】
【００２６】
【図１】本発明を適用した情報配信システムの構成と所定の情報の表示態様の一例を示す概略説明図である。
【図２】受信電話機の表示部に発信電話機の情報が表示される従来のシステムの概略説明図である。
【符号の説明】
【００２７】
１    情報配信サーバ
２    情報送信手段
３    要求情報応答手段
４    固定電話機
５    情報受信手段
６    表示手段
７    要求情報送信手段
８    通信回線
９    広告情報
１０    操作画面
【図１】
2006217515.tif 000003
【図２】
2006217515.tif 000004